(57)【特許請求の範囲】
【請求項１】
複数枚の用紙を積載する用紙積載台が、画像形成装置の筐体の一側面から外側に向かって傾倒して前記用紙を積載する用紙積載位置と、前記筐体の一側面に沿って起立して前記用紙積載台を収納する用紙積載台収納位置との間で該筐体の一側面側に回動可能に取り付けられており、且つ、前記用紙積載位置で前記用紙積載台が前記筐体の一側面側から着脱可能とされた用紙積載装置において、
前記用紙積載台のうち前記筐体の一側面と対向する前側面側で左右の側面の各外側に各一端部側が固定され且つ各他端部側が前記筐体の一側面に向かって突出された左右の第１ブラケットと、
前記左右の第１ブラケットの各一端部側に横設された各ロックピン及び前記左右の第１ブラケットの各他端部側に横設された各回動ピンと、
前記筐体の一側面の左右に各一端部側が固定され且つ各他端部側が前記用紙積載台の左右の側面側に向かって突出された左右の第２ブラケットと、
前記左右の第２ブラケットの各他端部側の上部のうちで各一端部側に接近した上部を開口されて前記各ロックピンが挿脱する各用紙積載台ロック溝及び前記左右の第２ブラケットの各他端部側の上部のうちで各一端部側から離れた上部を開口されて前記各回動ピンが挿脱する各用紙積載台支持溝と、を備えており、
前記用紙積載台が前記用紙積載位置に至っているときに、前記左右の第２ブラケットに形成した前記各用紙積載台支持溝内に嵌合している前記各回動ピンを中心にして、前記用紙積載台を前記用紙積載位置から前記用紙積載台収納位置に向かって回動させる動作に伴って前記各ロックピンを前記左右の第２ブラケットに形成した前記各用紙積載台ロック溝内に進入させて該用紙積載台を前記用紙積載台収納位置にロック保持させることを特徴とする用紙積載装置。
【請求項２】
前記左右の第２ブラケットは、前記各用紙積載台支持溝と前記各用紙積載台ロック溝との間に、前記用紙積載台を前記用紙積載位置から前記用紙積載台収納位置に向かって回動させる動作に伴って前記各ロックピンが摺動する各曲線状カム部が形成されていることを特徴とする請求項１に記載の用紙積載装置。
【発明の詳細な説明】
【技術分野】
【０００１】
本発明は、画像形成装置に適用され、複数枚の用紙を積載する用紙積載台を備えた用紙積載装置に関する。
【背景技術】
【０００２】
一般的に、用紙に画像や文字を印刷する印刷装置や、用紙に画像や文字を複写する複写機などの画像形成装置には、複数枚の用紙を積載する用紙積載台を備えた用紙積載装置が設置されている。
【０００３】
この種の用紙積載装置は、用紙積載台上に積載された複数枚の用紙を１枚ずつ画像形成装置内に給紙する給紙装置として用いられたり、あるいは、画像形成装置内から排出された画像形成済みの用紙を用紙積載台上に順次積載する排紙装置として用いられている。
【０００４】
この際、用紙積載装置の一例として、用紙積載台を排紙台として用いた孔版印刷機における排紙装置がある（例えば、特許文献１参照）。
【０００５】
特許文献１に開示された孔版印刷機における排紙装置では、ここでの図示を省略するが、排紙台（用紙積載台）が、孔版印刷機の筐体（公報では印刷部と記載されている）の一側面から外側に向かって傾倒して複数枚の用紙を積載する用紙積載位置（傾倒位置）と、筐体の一側面に沿って起立した状態で排紙台を収納する排紙台収納位置（起立位置）との間で筐体の一側面側に回動可能に取り付けられている。
【０００６】
更に、排紙台は、排紙台収納位置で筐体の一側面側に取り付けたマグネットにより起立した状態で保持される一方、用紙積載位置で複数枚の用紙を積載したまま排紙台が筐体の一側面側から着脱可能とされている。
【０００７】
上記のように構成された孔版印刷機における排紙装置によれば、印刷済みの用紙を多数積載したまま排紙台を筐体から取り外して他の保管場所に移動し、その間印刷物に作業者の手指による圧力が加えられないことから、各用紙に裏移りが発生することがない旨が記載されている。
【０００８】
また、複数の排紙台をあらかじめ用意しておくことにより、取り外した排紙台に代えて新しい空の排紙台を筐体の一側面に装着することによって、すぐに次の印刷を開始することができて、印刷物の放置による印刷時間の無駄を省略して効率よく印刷を行うことができる旨が記載されている。
【先行技術文献】
【特許文献】
【０００９】
【特許文献１】特開平８−２０８０９６号公報
【発明の概要】
【発明が解決しようとする課題】
【００１０】
ところで、特許文献１に記載された孔版印刷機における排紙装置では、前述したように、排紙台（用紙積載台）が排紙台収納位置（起立位置）に至っているときに、排紙台を筐体の一側面に沿って起立した状態で保持する保持部材としてマグネットを使用している。
【００１１】
しかしながら、マグネットの保持力が安定していなく、マグネットの保持力が弱い場合には、排紙台が少しの接触で不意に倒れてしまい危険であり、且つ、倒れた勢いで排紙台やこの周囲の部品が破損してしまう。
【００１２】
一方、マグネットの保持力が強い場合には、排紙台を筐体から引き離す際に大きな力を加えるときに勢いが付きすぎて危険な場合がある。
【００１３】
そこで、本発明は、複数枚の用紙を積載する用紙積載台が、画像形成装置の筐体の一側面側に用紙積載位置と用紙積載台収納位置との間で回動可能に取り付けられており、且つ、用紙積載位置で用紙積載台を筐体の一側面側から着脱可能に構成した際に、用紙積載台を用紙積載台収納位置でマグネットを用いることなく筐体の一側面に起立した状態で確実にロック保持できる用紙積載装置を提供することを目的とするものである。
【課題を解決するための手段】
【００１４】
本発明は上記課題に鑑みてなされたものであり、第１の発明は、複数枚の用紙を積載する用紙積載台が、画像形成装置の筐体の一側面から外側に向かって傾倒して前記用紙を積載する用紙積載位置と、前記筐体の一側面に沿って起立して前記用紙積載台を収納する用紙積載台収納位置との間で該筐体の一側面側に回動可能に取り付けられており、且つ、前記用紙積載位置で前記用紙積載台が前記筐体の一側面側から着脱可能とされた用紙積載装置において、
前記用紙積載台のうち前記筐体の一側面と対向する前側面側で左右の側面の各外側に各一端部側が固定され且つ各他端部側が前記筐体の一側面に向かって突出された左右の第１ブラケットと、
前記左右の第１ブラケットの各一端部側に横設された各ロックピン及び前記左右の第１ブラケットの各他端部側に横設された各回動ピンと、
前記筐体の一側面の左右に各一端部側が固定され且つ各他端部側が前記用紙積載台の左右の側面側に向かって突出された左右の第２ブラケットと、
前記左右の第２ブラケットの各他端部側の上部のうちで各一端部側に接近した上部を開口されて前記各ロックピンが挿脱する各用紙積載台ロック溝及び前記左右の第２ブラケットの各他端部側の上部のうちで各一端部側から離れた上部を開口されて前記各回動ピンが挿脱する各用紙積載台支持溝と、を備えており、
前記用紙積載台が前記用紙積載位置に至っているときに、前記左右の第２ブラケットに形成した前記各用紙積載台支持溝内に嵌合している前記各回動ピンを中心にして、前記用紙積載台を前記用紙積載位置から前記用紙積載台収納位置に向かって回動させる動作に伴って前記各ロックピンを前記左右の第２ブラケットに形成した前記各用紙積載台ロック溝内に進入させて該用紙積載台を前記用紙積載台収納位置にロック保持させることを特徴とする用紙積載装置である。
【００１５】
また、第２の発明は、上記した第１の発明の用紙積載装置において、
前記左右の第２ブラケットは、前記各用紙積載台支持溝と前記各用紙積載台ロック溝との間に、前記用紙積載台を前記用紙積載位置から前記用紙積載台収納位置に向かって回動させる動作に伴って前記各ロックピンが摺動する各曲線状カム部が形成されていることを特徴とする用紙積載装置である。
【発明の効果】
【００１６】
第１の発明の用紙積載装置によると、複数枚の用紙を積載する用紙積載台を、画像形成装置の筐体の一側面側に用紙積載位置と用紙積載台収納位置との間で回動可能且つ着脱可能に構成した際、用紙積載台の左右の側面に固定した左右の第１ブラケットに各回動ピン及び各ロックピンを横設し、且つ、筐体の一側面の左右に左右の第２ブラケットを固定した上で、用紙積載台が用紙積載位置に至っているときに、左右の第２ブラケットに形成した各用紙積載台支持溝内に嵌合している各回動ピンを中心にして、用紙積載台を用紙積載位置から用紙積載台収納位置に向かって回動させる動作に伴って各ロックピンを左右の第２ブラケットに形成した各用紙積載台ロック溝内に進入させて用紙積載台を用紙積載台収納位置にロック保持させている。
【００１７】
この結果、背景技術で説明したような用紙積載台を用紙積載台収納位置で略垂直に起立した状態で保持するためのマグネットを用いる必要がなくなり、これに伴って、筐体の一側面側に取り付けられるマグネットやマグネット取付板とか、用紙積載台側に取り付けられるマグネット吸着板などの部品削減が可能である。
【００１８】
また、第２の発明の用紙積載装置によると、左右の第２ブラケットは、各用紙積載台支持溝と各用紙積載台ロック溝との間に、用紙積載台を用紙積載位置から用紙積載台収納位置に向かって回動させる動作に伴って各ロックピンが摺動する各曲線状カム部が形成されているので、各ロックピンは曲線状カム部から用紙積載台ロック溝内に確実且つスムーズに進入できる。また、各ロックピンが各曲線状カム部を摺動している最中に各回動ピンが用紙積載台支持溝内で浮き上がり、用紙積載台が自動的に上方に持ち上げられるので、各ロックピンが各用紙積載台支持溝内に進入し易い。
【図面の簡単な説明】
【００１９】
【図１】本発明に係る用紙積載装置を適用した画像形成装置の全体構成を示した構成図である。
【図２】本発明に係る用紙積載装置において、用紙積載台が画像形成装置の筐体の一側面から外側に向かって傾倒して、用紙を複数枚積載する用紙積載位置に至っている状態を示した斜視図である。
【図３】本発明に係る用紙積載装置において、用紙積載台が画像形成装置の筐体の一側面から外側に向かって傾倒して、用紙を複数枚積載する用紙積載位置に至っている状態を示した上面図である。
【図４】本発明に係る用紙積載装置において、用紙積載台が画像形成装置の筐体の一側面に沿って起立して、用紙積載台を収納する用紙積載台収納位置に至っている状態を示した斜視図である。
【図５】（ａ），（ｂ）は用紙積載台の左右の側面に取り付けられる左右の第１ブラケットを示した上面図，正面図である。
【図６】（ａ），（ｂ）は画像形成装置の筐体の一側面側の左右に取り付けられる左右の第２ブラケットを示した上面図，正面図である。
【図７】本発明に係る用紙積載装置の第１動作を説明するための第１動作図である。
【図８】本発明に係る用紙積載装置の第２動作を説明するための第２動作図である。
【図９】本発明に係る用紙積載装置の第３動作を説明するための第３動作図である。
【図１０】本発明に係る用紙積載装置の第４動作を説明するための第４動作図である。
【発明を実施するための形態】
【００２０】
以下に本発明に係る用紙積載装置の一実施形態について、図１〜図１０を参照して詳細に説明する。
【００２１】
本発明に係る用紙積載装置は、用紙に画像や文字を印刷する印刷装置や、用紙に画像や文字を複写する複写機などの画像形成装置に適用されている。
【００２２】
この際、本発明に係る用紙積載装置は、用紙積載台上に積載された複数枚の用紙を１枚ずつ画像形成装置内に給紙する給紙装置として用いられたり、あるいは、画像形成装置内から排出された画像形成済みの用紙を用紙積載台上に順次積載する排紙装置として用いられている。
【００２３】
以下では、本発明に係る用紙積載装置を画像形成装置内で排紙装置として用いる場合について図１を用いて説明し、この排紙装置と略同じ構成の給紙装置として用いる場合についての説明を省略する。
【００２４】
図１は本発明に係る用紙積載装置を適用した画像形成装置の全体構成を示している。
【００２５】
まず、図１に示す如く、本発明に係る用紙積載装置１０を適用した画像形成装置１では、筐体２が箱状に形成されており、この筐体２の天面２ａ上に画像形成装置１を操作する操作パネル部３が設置されている。
【００２６】
また、筐体２は、本発明に係る用紙積載装置１０が設置される一方の側面となる一側面２ｂの上方部位に第１開口部２ｂ１が開口されており、この第１開口部２ｂ１と対向して複数枚の用紙Ｐを積載する用紙積載台１１が筐体２の一側面２ｂの外側に突出した状態で回動可能（開閉可能）且つ着脱可能に取り付けられている。
【００２７】
一方、筐体２の他方の側面となる他側面２ｃの上方部位にも第２開口部２ｃ１が開口されており、この第２開口部２ｃ１と対向して手差し用の用紙Ｐを搭載する外部給紙台４が他側面２ｃの外側に突出した状態で必要に応じて取り付けられている。尚、外部給紙台４を、本発明に係る用紙積載装置１０と略同様に、筐体２の他側面２ｃに対して回動可能（開閉可能）に設けても良く、更に、筐体２の他側面２ｃに着脱可能に設けても良い。
【００２８】
また、筐体２内で他側面２ｃ側には、用紙Ｐの外形サイズに対応して複数の内部給紙トレイ５Ａ〜５Ｃが筐体２の正面（図示せず）側から引き出し可能に設置されている。
【００２９】
また、筐体２内には、外部給紙台４上の用紙Ｐ又は複数の内部給紙トレイ５Ａ〜５Ｃ内の用紙Ｐを選択的に１枚ずつ給紙する給紙部６と、給紙部６から搬送された用紙Ｐ上に画像を形成する画像形成部７と、画像形成部７で処理された画像形成済みの用紙Ｐを排紙する排紙部８と、画像形成装置１を全体的に制御する制御部９とが設置されている。
【００３０】
そして、筐体２の一側面２ｂの外側に取り付けた用紙積載台１１は、排紙部８から排出された画像形成済みの用紙Ｐを積載する排紙台として機能している。
【００３１】
この際、用紙積載台（排紙台）１１の上面１１ａ上には、用紙Ｐの排出方向の先端を規制するエンドフェンス板１２が用紙Ｐの長さ寸法に応じて用紙排出方向に移動自在で且つ用紙積載台１１の収納時に内側に向かって折り畳み可能に設けられている。
【００３２】
また、用紙積載台１１の上面１１ａ上には、用紙Ｐの幅方向の両側端を規制する左右一対のサイドフェンス板１３Ｌ，（１３Ｒ）が用紙Ｐの幅寸法に応じて用紙排出方向と直交する用紙幅方向に移動自在で且つ用紙積載台１１の収納時に互いに内側に向かって折り畳み可能に設けられている。
【００３３】
また、用紙積載台１１は、筐体２の一側面２ｂから外側に向かって水平よりもやや下方の角度まで傾倒して用紙Ｐを複数枚積載する用紙積載位置（傾倒位置）と、筐体２の一側面２ｂに沿って略垂直に起立して用紙積載台１１を収納する用紙積載台収納位置（起立位置）との間で筐体２の一側面２ｂ側に回動可能に取り付けられており、且つ、用紙積載位置で用紙積載台１１が用紙Ｐを積載したまま筐体２の一側面２ｂから着脱可能とされている。
【００３４】
ここで、本発明に係る用紙積載装置１０の構成について、図２〜図６を用いて説明する。尚、図２〜図４中では、図１に示した用紙積載台１１上に設けたエンドフェンス板１２及び左右一対のサイドフェンス板１３Ｌ，（１３Ｒ）の図示を省略している。
【００３５】
図２及び図３は、用紙積載台１１が画像形成装置１の筐体２の一側面２ｂから外側に向かって傾倒して、用紙を複数枚積載する用紙積載位置に至っている状態を示している。
【００３６】
この用紙積載位置では、筐体２の一側面２ｂの高さ方向の略中間部位に回動自在に支持された用紙積載台１１が筐体２の一側面２ｂに対して所定の角度（略１００°程度）傾倒している。
【００３７】
そして、筐体２内に設置した排紙部８の排紙ローラ対８ａによって用紙排出方向に向かって排出された用紙Ｐが用紙積載台１１の上面１１ａ上に順次積載されるようになっている。
【００３８】
更に、この用紙積載位置では、後述するように、用紙積載台１１が筐体２の一側面２ｂに着脱可能に支持されているので、用紙積載台１１上に複数枚の用紙Ｐを積載したままこの用紙積載台１１を筐体２の一側面２ｂ側から取り外すことができる。
【００３９】
一方、図４は、用紙積載台１１が画像形成装置１の筐体２の一側面２ｂに沿って起立して、用紙積載台１１を収納する用紙積載台収納位置に至っている状態を示している。
【００４０】
この用紙積載台収納位置では、用紙積載台１１上に設けたエンドフェンス板１２（図１）及び左右一対のサイドフェンス板１３Ｌ，１３Ｒ（図１）をそれぞれ内側に折り畳んで、筐体２の一側面２ｂに開口した第１開口部２ｂ１内に収納できるようになっている。
【００４１】
そして、用紙積載台１１の上面１１ａ側を筐体２の一側面２ｂと対向させて、この用紙積載台１１を略垂直に起立させている。
【００４２】
従って、画像形成装置１の搬送時や、用紙積載台１１上に用紙Ｐを積載しない不使用時に用紙積載台１１が邪魔にならず、用紙積載装置１０のコンパクト化を図ることができる。
【００４３】
図２及び図３に戻り、複数枚の用紙Ｐを積載する用紙積載台１１は、剛性を有する樹脂材を用いて長方形状に形成されている。
【００４４】
この際、用紙積載台１１の上面１１ａは、用紙幅方向の中央に平坦面１１ａ１が用紙排出方向に沿って形成され、且つ、平坦面１１ａ１の左右両側で用紙幅方向に沿って傾斜面１１ａ２，１１ａ３が上方に向かって傾斜して左右対称に形成されている。
【００４５】
そして、用紙積載台１１の上面１１ａ上に積載される用紙Ｐは、平坦面１１ａ１と左右の傾斜面１１ａ２，１１ａ３とにより用紙幅方向の左右の側端部を持ち上げて腰付けされる。
【００４６】
また、用紙積載台１１のうち筐体２の一側面２ｂと対向する前側面１１ｂ側で用紙幅方向の左右の側面１１ｃ，１１ｄの各外側に左右の第１ブラケット１４Ｌ，１４Ｒの各一端部側がネジ１５を用いて固定されており、且つ、左右の第１ブラケット１４Ｌ，１４Ｒの各他端部側は筐体２の一側面２ｂ側に向かって突出されている。
【００４７】
上記した左右の第１ブラケット１４Ｌ，１４Ｒは、図５（ａ），（ｂ）に拡大して示す如く、板金材を用いて平板状に形成されている。
【００４８】
また、左右の第１ブラケット１４Ｌ，１４Ｒは、用紙積載台１１の左右の側面１１ｃ，１１ｄに取り付けられる各一端部１４ａ側が左右の側面１１ｃ，１１ｄと略同じ高さ寸法で長手方向が長尺に形成され、且つ、各一端部１４ａ側内及び下記する各中間下部１４ｄ内にネジ１５（図２，図３）が取り付けられるネジ取付孔１４ａ１が２か所貫通して形成されている。
【００４９】
また、左右の第１ブラケット１４Ｌ，１４Ｒは、各一端部１４ａ側とは反対の各他端部１４ｂ側が各一端部１４ａ側よりも高さが高く先端がＲ状に形成され、且つ、各他端部１４ｂ側内に先端鍔部付きの回動ピン１６がそれぞれ外側に向かって横設されている。
【００５０】
また、左右の第１ブラケット１４Ｌ，１４Ｒは、各一端部１４ａ側と各他端部１４ｂ側との間の各中間上部１４ｃが各他端部１４ｂ側よりも少し高さが高く長手方向が短尺に形成され、且つ、各中間上部１４ｃ内に先端鍔部付きのロックピン１７がそれぞれ外側に向かって横設されている。
【００５１】
また、左右の第１ブラケット１４Ｌ，１４Ｒは、各一端部１４ａ側と各他端部１４ｂ側との間の各中間下部１４ｄが各一端部１４ａ側及び各他端部１４ｂ側よりも下方に向かって突出しており、この各中間下部１４ｄで筐体２の一側面２ｂと対向する側に後述する左右の第２ブラケット１８Ｌ，１８Ｒ（図２，図３，図６）に横設した各ストッパピン２０を係止するストッパピン係止用凹部１４ｅがそれぞれ凹状に形成されている。
【００５２】
そして、左右の第１ブラケット１４Ｌ，１４Ｒは、同一部品を用いて部品点数の削減を図っているが、回動ピン１６及びロックピン１７を左右対称にそれぞれ外側に向けて横設することで、左右の第１ブラケット１４Ｌ，１４Ｒは紙積載台１１の左右の側面１１ｃ，１１ｄに左右対称に固定されている。
【００５３】
再び図２及び図３に戻り、筐体２の一側面２ｂのうちで用紙幅方向の左右には、左右のフレーム部材２Ｌ，２Ｒが最大サイズの用紙Ｐの幅寸法よりも僅かに幅広く離れた状態で垂設されている。
【００５４】
そして、左右のフレーム部材２Ｌ，２Ｒの高さ方向の略中間部位で各内側面に左右の第２ブラケット１８Ｌ，１８Ｒの各一端側がネジ１９を用いて固定されており、且つ、左右の第２ブラケット１８Ｌ，１８Ｒの各他端側は用紙積載台１１の左右の側面１１ｃ，１１ｄ側に向かって突出されている。
【００５５】
上記した左右の第２ブラケット１８Ｌ，１８Ｒは、図６（ａ），（ｂ）に拡大して示す如く、板金材を用いて折り曲げ形成されている。
【００５６】
また、左右の第２ブラケット１８Ｌ，１８Ｒは、左右のフレーム部材２Ｌ，２Ｒの高さ方向の略中間部位で各内側面に取り付けられる各一端部１８ａ側が四角状平坦面に形成され、且つ、各一端部１８ａ側内にネジ１９（図２，図３）が取り付けられるネジタップ１８ａ１が２か所貫通して形成されている。
【００５７】
また、左右の第２ブラケット１８Ｌ，１８Ｒは、各一端部１８ａ側とは反対の各他端部１８ｂ側が各一端部１８ａ側よりも筐体２の前面（図示せず）側に向かって一段突出して折り曲げられ、且つ、高さ方向が各一端部１８ａ側よりも大きく且つ長手方向が各一端部１８ａ側よりも長く平板状に形成されていると共に、各他端部１８ｂ側の上部が各一端部１８ａ側から離れるにつれて低い高さになっている。
【００５８】
そして、左右の第２ブラケット１８Ｌ，１８Ｒの各他端部１８ｂ側の上部のうちで各一端部１８ａ側から各他端後部に向かって各用紙積載台ロック溝１８ｂ１と、各曲線状カム部（Ｒ部）１８ｂ２と、各第１直線状傾斜部１８ｂ３と、各用紙積載台支持溝１８ｂ４と、各第１水平直線部１８ｂ５と、各第２水平直線部１８ｂ６と、各第２直線状傾斜部１８ｂ７とが順に形成されている。
【００５９】
この際、左右の第２ブラケット１８Ｌ，１８Ｒの各他端部１８ｂ側の上部に形成した各部１８ｂ１〜１８ｂ７を説明すると、各用紙積載台ロック溝１８ｂ１は、各一端部１８ａ側に接近した上部を開口されて左右の第１ブラケット１４Ｌ，１４Ｒ（図２，図３，図５）に横設した各ロックピン１７（図２，図３，図５）が挿脱できるように形成されている。
【００６０】
また、各曲線状カム部（Ｒ部）１８ｂ２は、各用紙積載台ロック溝１８ｂ１から下方の各第１直線状傾斜部１８ｂ３に向かって曲線状（Ｒ状）に形成されて左右の第１ブラケット１４Ｌ，１４Ｒに横設した各ロックピン１７が摺動可能になっている。
【００６１】
また、各第１直線状傾斜部１８ｂ３は、下方の各用紙積載台支持溝１８ｂ４に向かって直線状に傾斜して形成されている。
【００６２】
また、各用紙積載台支持溝１８ｂ４は、各一端部１８ａ側から離れた上部を開口されて左右の第１ブラケット１４Ｌ，１４Ｒに横設した各回動ピン１６（図２，図３，図５）が挿脱できるように形成されている。
【００６３】
また、各第１水平直線部１８ｂ５は、各用紙積載台支持溝１８ｂ４の先端から水平に形成されている。また、各第２水平直線部１８ｂ６は、各第１水平直線部１８ｂ５よりも一段下がって水平に形成され、後述するように用紙積載台１１が用紙積載位置に至っているときに、左右の第１ブラケット１４Ｌ，１４Ｒに横設した各ロックピン１７が各第２水平直線部１８ｂ６の上方で退避できるようになっている。
【００６４】
また、各第２直線状傾斜部１８ｂ７は、各第２水平直線部１８ｂ６から下方に向かって傾斜して各他端後部まで形成されている。
【００６５】
また、左右の第２ブラケット１８Ｌ，１８Ｒの他端部１８ｂ側の下部は、各一端部１８ａ側の下部よりも下方に向かって突出していると共に、各他端部１８ｂ側の下部中央内側に各ストッパピン２０が内側に向かって横設されている。
【００６６】
そして、左右の第２ブラケット１８Ｌ，１８Ｒも、同一部品を用いて部品点数の削減を図っているが、各ストッパピン２０を内側に向けて横設することで、左右の第２ブラケット１８Ｌ，１８Ｒは図３に示すように左右のフレーム部材２Ｌ，２Ｒの内側面に左右非対象に固定されている。
【００６７】
ここで、上記のように構成した本発明に係る用紙積載装置１０の動作について、図７〜図１０を用いて説明する。
【００６８】
尚、図７〜図１０では、用紙積載装置１０の左側面側のみを図示して説明し、右側面側についての説明を省略する。
【００６９】
まず、図７は本発明に係る用紙積載装置１０の第１動作を示している。この第１動作では、先に図２及び図３に示したと同様に、用紙積載台１１が用紙積載位置に至っている状態である。
【００７０】
即ち、用紙積載台１１の左側面１１ｃに左側の第１ブラケット１４Ｌの一端部１４ａを２本のネジ１５を用いて固定し、且つ、筐体２の一側面２ｂの左側に垂設した左側のフレーム部材２Ｌの内側面に左側の第２ブラケット１８Ｌの一端部１８ａを２本のネジ１９を用いて固定している。
【００７１】
そして、左側の第１ブラケット１４Ｌの他端部１４ｂ内に横設した先端鍔部付きの回動ピン１６を左側の第２ブラケット１８Ｌの他端部１８ｂ側の上部に形成した用紙積載台支持溝１８ｂ４内に上方から挿入して回動可能に嵌合させている。
【００７２】
尚、回動ピン１６に形成した先端鍔部で用紙積載台支持溝１８ｂ４内での左右方向への抜け防止を図っている。
【００７３】
更に、左側の第２ブラケット１８Ｌの他端部１８ｂ側の下部中央内側に横設したストッパピン２０を左側の第１ブラケット１４Ｌの中間下部１４ｄで筐体２の一側面２ｂと対向する側に形成したストッパピン係止用凹部１４ｅに係止させている。
【００７４】
これにより、用紙積載台１１は、筐体２の一側面２ｂに対して水平よりもやや下方の角度まで傾倒して用紙積載位置に支持されるので、用紙Ｐの積載が可能になっている。
【００７５】
このとき、左側の第１ブラケット１４Ｌの中間上部１４ｃ内に横設した先端鍔部付きのロックピン１７は、左側の第２ブラケット１８Ｌの他端部１８ｂ側の上部に形成した第２水平直線部１８ｂ６の上方に退避している。
【００７６】
更に、用紙積載台１１が用紙積載位置に至っているときに、用紙積載台１１を人手により上方に持ち上げて左側の第１ブラケット１４Ｌに横設した回動ピン１６を左側の第２ブラケット１８Ｌに形成した用紙積載台支持溝１８ｂ４内から抜くと、用紙積載台１１上に用紙Ｐを積載したままこの用紙積載台１１を筐体２の一側面２ｂ側から取り外すことができる。
【００７７】
次に、図８は本発明に係る用紙積載装置１０の第２動作を示している。この第２動作では、用紙積載位置で用紙積載台１１上に積載された用紙Ｐを取り外した後に、用紙積載台１１を筐体２の一側面２ｂ側に向かって回動させる状態である。
【００７８】
即ち、左側の第２ブラケット１８Ｌに形成した用紙積載台支持溝１８ｂ４内に嵌合している回動ピン１６を中心にして、用紙積載台１１を用紙積載位置から筐体２の一側面２ｂ側に向かって反時計方向に回動させると、左側の第１ブラケット１４Ｌに横設したロックピン１７が左側の第２ブラケット１８Ｌの他端部１８ｂ側の上部に形成した曲線状カム部（Ｒ部）１８ｂ２に接触する。
【００７９】
そして、ロックピン１７が曲線状カム部（Ｒ部）１８ｂ２に接触すると、用紙積載台１１の回動中心が回動ピン１６からロックピン１７に移動する。
【００８０】
また、用紙積載台１１の反時計方向への回動に伴って、左側の第２ブラケット１８Ｌに横設したストッパピン２０は、左側の第１ブラケット１４Ｌに形成したストッパピン係止用凹部１４ｅから離間する。
【００８１】
次に、図９は本発明に係る用紙積載装置１０の第３動作を示している。この第３動作では、用紙積載台１１を第２動作状態よりも更に筐体２の一側面２ｂ側に向かって回動させる状態である。
【００８２】
即ち、第２動作で用紙積載台１１の回動中心が回動ピン１６からロックピン１７に移動した状態で用紙積載台１１を更に反時計方向に回動すると、ロックピン１７が、左側の第２ブラケット１８Ｌに形成した曲線状カム部（Ｒ部）１８ｂ２を摺動しながらこの頂点側に移動するので、左側の第２ブラケット１８Ｌに形成した用紙積載台支持溝１８ｂ４内に嵌合している回動ピン１６は浮き上がる。
【００８３】
次に、図１０は本発明に係る用紙積載装置１０の第４動作を示している。この第４動作では、先に図４に示したと同様に、用紙積載台１１が用紙積載台収納位置に至っている状態である。
【００８４】
即ち、第３動作で回動ピン１６が左側の第２ブラケット１８Ｌに形成した用紙積載台支持溝１８ｂ４内から浮き上がると、ロックピン１７は、左側の第２ブラケット１８Ｌに形成した曲線状カム部（Ｒ部）１８ｂ２の頂点側から用紙積載台ロック溝１８ｂ１内に進入してこの用紙積載台ロック溝１８ｂ１内にロック保持される。
【００８５】
尚、ロックピン１７に形成した先端鍔部で用紙積載台ロック溝１８ｂ１内での左右方向への抜け防止を図っている。
【００８６】
この際、左側の第２ブラケット１８Ｌに形成した曲線状カム部（Ｒ部）１８ｂ２にロックピン１７が摺動することで、ロックピン１７は曲線状カム部（Ｒ部）１８ｂ２から用紙積載台ロック溝１８ｂ１内に確実且つスムーズに進入できる。また、ロックピン１７が曲線状カム部（Ｒ部）１８ｂ２を摺動している最中に回動ピン１６が用紙積載台支持溝１８ｂ４内で浮き上がり、用紙積載台１１が自動的に上方に持ち上げられるので、ロックピン１７が用紙積載台支持溝１８ｂ４内に進入し易い。
【００８７】
更に、ロックピン１７が用紙積載台ロック溝１８ｂ１内に進入すると、回動ピン１６の浮き上がりがなくなり、回動ピン１６は再び用紙積載台支持溝１８ｂ４内に確実に嵌合し、用紙積載台１１は筐体２の一側面２ｂ側と対向して略垂直に起立した状態で用紙積載台収納位置に至る。
【００８８】
以上詳述した本発明に係る用紙積載装置によれば、複数枚の用紙Ｐを積載する用紙積載台１１を、画像形成装置１の筐体２の一側面２ｂ側に用紙積載位置と用紙積載台収納位置との間で回動可能且つ着脱可能に構成した際、用紙積載台１１の左右の側面１１ｃ，１１ｄに固定した左右の第１ブラケット１４Ｌ，１４Ｒに各回動ピン１６及び各ロックピン１７を横設し、且つ、筐体２の一側面２ｂの左右に左右の第２ブラケット１８Ｌ，１８Ｒを固定した上で、用紙積載台１１が用紙積載位置に至っているときに、左右の第２ブラケット１８Ｌ，１８Ｒに形成した各用紙積載台支持溝１８ｂ４内に嵌合している各回動ピン１６を中心にして、用紙積載台１１を用紙積載位置から用紙積載台収納位置に向かって回動させる動作に伴って各ロックピン１７を左右の第２ブラケット１８Ｌ，１８Ｒに形成した各用紙積載台ロック溝１８ｂ１内に進入させて用紙積載台１１を用紙積載台収納位置にロック保持させている。
【００８９】
この結果、背景技術で説明したような用紙積載台１１を用紙積載台収納位置で略垂直に起立した状態で保持するためのマグネットを用いる必要がなくなり、これに伴って、筐体２の一側面２ｂ側に取り付けられるマグネットやマグネット取付板とか、用紙積載台１１側に取り付けられるマグネット吸着板などの部品削減が可能である。
【００９０】
また、用紙積載台１１を用紙積載位置から用紙積載台収納位置まで回動させる一連の動作中に変わった動作が必要なく、通常の回動動作中に用紙積載台１１の左右の側面１１ｃ，１１ｄに固定した左右の第１ブラケット１４Ｌ，１４Ｒに横設した各ロックピン１７を、筐体２の一側面２ｂの左右に固定した左右の第２ブラケット１８Ｌ，１８Ｒに形成した各用紙積載台ロック溝１８ｂ４内に進入さることで、用紙積載台１１は、用紙積載台収納位置で起立した姿勢を取りながら確実にロック保持されるので、用紙積載台１１の不意な倒れを防止できるために、危険性がなく、部品破損の懸念も生じない。
【００９１】
更に，用紙積載台収納位置で用紙積載台１１の荷重負荷を左右合計４本のピン１６，１７に分散して左右の第２ブラケット１８Ｌ，１８Ｒで受けることができる。
【符号の説明】
【００９２】
１…画像形成装置、
２…筐体、２ａ…天面、２ｂ…一側面、２ｂ１…第１開口部、
２ｃ…他側面、２ｃ１…第２開口部、
３…操作パネル部、６…給紙部、７…画像形成部、８…排紙部、９…制御部、
１０…用紙積載装置、
１１…用紙積載台、１１ａ…上面、１１ｂ…前側面、１１ｃ，１１ｄ…左右の側面、
１２…エンドフェンス板、１３Ｌ，（１３Ｒ）…左右一対のサイドフェンス板、
１４Ｌ，１４Ｒ…左右の第１ブラケット、
１４ａ…一端部、１４ｂ…他端部、１４ｃ…中間上部、１４ｄ…中間下部、
１４ｅ…ストッパピン係止用凹部、
１５…ネジ、１６…先端鍔部付きの回動ピン、１７…先端鍔部付きのロックピン、
１８Ｌ，１８Ｒ…左右の第２ブラケット、
１８ａ…一端部、１８ｂ…他端部、
１８ｂ１…用紙積載台ロック溝、１８ｂ２…曲線状カム部（Ｒ部）、
１８ｂ３…第１直線状傾斜部、１８ｂ４…用紙積載台支持溝、
１８ｂ５…第１水平直線部、１８ｂ６…第２水平直線部、
１８ｂ７…第２直線状傾斜部、１９…ネジ、２０…ストッパピン、Ｐ…用紙。
【図１】
0006666197.tif 000002
【図２】
0006666197.tif 000003
【図３】
0006666197.tif 000004
【図４】
0006666197.tif 000005
【図５】
0006666197.tif 000006
【図６】
0006666197.tif 000007
【図７】
0006666197.tif 000008
【図８】
0006666197.tif 000009
【図９】
0006666197.tif 000010
【図１０】
0006666197.tif 000011